(57)【特許請求の範囲】
【請求項１】
回線の接続制御を行う複数の呼制御処理装置と、二重化して交換サービスに必要な情報の記憶及び処理を行う装置を含む第一のシステム及び第二のシステムとを備えた交換機におけるファイル更新方法において、
第一のシステムを稼動状態にすると共に少なくとも１つの呼制御処理装置を除く残りの呼制御処理装置を用いて交換サービスを行いつつ、所定の記憶装置に予め格納された新たなファイルを上記除かれた呼制御処理装置と、当該第二のシステムの各装置に転送する第一の手順と、
交換サービスを中断した状態で、上記所定の記憶装置に格納した新たなファイルを、当該ファイルの未転送となる呼制御処理装置に転送する第二の手順と、
上記第二の手順での処理の後、上記第二のシステムを稼動状態にすると共に上記複数の呼制御処理装置を用いて交換サービスを行いつつ、上記第一のシステムを第二のシステムでの処理を直ちに引き継げる状態にする第三の手順とを有し、
上記第三の手順を行っている際に、第二の手順以前の交換サービス中に第一のシステムにおける記憶装置に格納した呼接続に係る明細データを、外部のシステムに明細データを転送するための情報転送処理装置に転送する手順を有する交換機におけるファイル更新方法。
【請求項２】
請求項１記載の交換機におけるファイル更新方法において、
新たなファイルが予め格納される上記所定の記憶装置は、第二のシステムの記憶装置であって、この第二のシステムの記憶装置から新たなファイルを第二のシステムの各装置及び呼制御処理装置に転送するようにした交換機におけるファイル更新方法。
【請求項３】
請求項１又は２に記載の交換機におけるファイル更新方法において、
交換サービスを中断した状態で、第一のシステムにおいて回線状態を記憶するための第一の共通記憶装置に格納された上記第一の手順での処理が行われている間の交換サービスにおける回線状態を表す情報の少なくとも一部を当該第一の共通記憶装置から第二システムにおいて回線状態を記憶するための第二の共通記憶装置に引き継ぐ手順を有する交換機におけるファイル更新方法。
【請求項４】
請求項３記載の交換機におけるファイル更新方法において、
上記回線状態を表す情報の少なくとも一部となる当該引き継ぐべき情報は、空き状態を表す情報を含む交換機におけるファイル更新方法。
【請求項５】
請求項３又は４に記載の交換機におけるファイル更新方法において、
上記第三の手順を行っている際に、上記第一のシステムにおける第一の共通記憶装置に格納された上記第一の手順での処理が行われている間の交換サービスにおける回線状態を表す情報の他の一部を当該第一の共通記憶装置から第二のシステムにおける第二の共通記憶装置に引き継ぐ手順を有する交換機におけるファイル更新方法。
【請求項６】
請求項５記載の交換機におけるファイル更新方法において、
上記回線状態を表す情報の他の一部となる引き継ぐべき情報は、通話中の状態を表す情報を含む交換機におけるファイル更新方法。
【請求項７】
請求項５又は６に記載の交換機におけるファイル更新方法において、
上記第一のシステムにおける第一の共通記憶装置から第二のシステムにおける第二の共通記憶装置に上記回線状態を表す情報の当該他の一部を引き継ぐ際に、呼び出し中の回線を切断して、当該回線の状態を空き状態として引き継ぐようにした交換機におけるファイル更新方法。
【発明の詳細な説明】
【０００１】
【発明の属する技術分野】
【０００２】
本発明は、移動通信システム等に用いられる加入者交換機、中継交換機等の交換機におけるファイル更新方法に係り、詳しくは、回線の接続制御を行う複数の呼制御処理装置と、二重化して交換サービスに必要な情報の記憶及び処理を行う第一システム及び第二システムとを備えた交換機におけるファイル更新方法に関る。
【従来の技術】
【０００３】
例えば、移動通信システムに用いられる加入者交換機、中継交換機などの交換機では、サービス内容の変更や、メンテナンス情報の変更などにより、各記憶装置、信号処理装置が有するファイルの内容をその変更内容に更新する必要がある。
【０００４】
従来、この交換機におけるファイル更新は、例えば、図４に示すようになされている。
【０００５】
このようにファイル更新の必要な交換機は、通常、交換サービスの信頼性を確保する観点から、交換サービスに必要な情報の記憶及び処理を行う各記憶装置や信号処理装置が二重化されている。例えば、図４に示すように、交換機は、呼の接続制御などを行う複数の呼制御処理装置（ＭＣＰ、ＣＮＰ）と、０系及び１系にて二重化されたファイル記憶装置ＦＭ００、ＦＭ１０、共通記憶装置ＣＭ０、ＣＭ１及び信号処理装置ＳＧＰとを備えている。なお、上記複数の呼制御処理装置は、通常の呼制御と共に複数の呼制御処理装置を統括的な制御を行う単一の主呼制御処理装置ＭＣＰと通常の呼制御を行う１以上の呼制御処理装置ＣＮＰから構成されている。
【０００６】
このような構造の交換機において、ファイルを更新する場合、通常の交換サービスを行いつつ、ファイル更新の準備のために内部状態を調整するファイル更新準備期間（Ｓ０）の最後に、内容が更新された新たなファイルが、例えば、１系のファイル記憶装置ＦＭ１０に格納される。その後、ファイル更新期間（Ｓ１１）では、交換サービスが中断され、例えば、通話中及び呼出し中の回線が切断される。この状態で、上記１系のファイル記憶装置ＦＭ１０に格納された新たなファイルが、主呼制御処理装置ＭＣＰ、呼制御処理装置ＣＮＰ、１系の共通記憶装置ＣＭ１、１系の信号処理装置ＳＧＰに転送される。また、この期間（Ｓ１１）において、交換サービス中に０系のファイル記憶装置ＦＭ００に蓄積された各加入者の課金情報などの明細データが１系のファイル記憶装置ＦＭ１０に引き継がれ、切断状態となった収容回線についての初期設定がなされる。
【０００７】
上記のようにして、新たなファイルが、主呼制御処理装置ＭＣＰ、呼制御処理装置ＣＮＰ、１系の共通記憶装置ＣＭ１及び１系の信号処理装置に転送されると、片系運転期間（Ｓ１２）が開始される。この片系運転期間（Ｓ１２）では、１系のファイル記憶装置ＦＭ１０、１系の共通記憶装置ＣＭ１及び１系の信号処理装置ＳＧＰが稼動状態になると共に主呼制御処理装置ＭＣＰ及び呼制御装置ＣＮＰを用いて、新たなファイルの内容に基づいた交換サービスが行われる。この片系運転期間（Ｓ１２）での交換サービスは、例えば、全ての回線が空きとなった状態から開始される。この片系運転期間（Ｓ１２）中に、０系の共通記憶装置ＣＭ０及び０系の信号処理装置ＳＧＰを、１系の共通記憶装置ＣＭ１及び１系の信号処理装置ＳＧＰでの処理を直ちに引き継げる状態（ホットスタンバイ状態）にするための処理が行われる。
【０００８】
上記片系運転期間（Ｓ１２）での処理が終了すると、新たなファイルの内容に基づいた通常の交換サービスが行われる（Ｓ２）。
【発明が解決しようとする課題】
【０００９】
上述したような交換機におけるファイル更新方法では、ファイル更新期間（Ｓ１１）中に、交換サービスに必要な多くの装置、即ち、全ての呼制御処理装置（ＭＣＰ、ＣＮＰ）、１系の共通記憶装置ＣＭ１及び１系の信号処理装置ＳＧＰに対して新たなファイルを転送するため、その処理時間が比較的長くなってしまう。その結果、交換サービスを中断する時間が比較的長くなってしまう（例えば、約５分間）。
【００１０】
このため、従来、交換機におけるファイル更新の作業は深夜に行って、加入者に対するサービス低下が極力少なくなるようにしている。
【００１１】
そこで、本発明の課題は、ファイル更新のために交換サービスを中断する時間をできるだけ短くし、その交換サービスを中断する際の加入者に対するサービス低下をできるだけ少なくできるようなファイル更新方法を提供することである。
【課題を解決するための手段】
【００１２】
上記課題を解決するため、本発明の一形態によれば、回線の接続制御を行う複数の呼制御処理装置と、二重化して交換サービスに必要な情報の記憶及び処理を行う装置を含む第一のシステム及び第二のシステムとを備えた交換機におけるファイル更新方法において、第一のシステムを稼動状態にすると共に少なくとも１つの呼制御処理装置を除く残りの呼制御処理装置を用いて交換サービスを行いつつ、所定の記憶装置に予め格納された新たなファイルを上記除かれた呼制御処理装置と、当該第二のシステムの各装置に転送する第一の手順と、交換サービスを中断した状態で、上記所定の記憶装置に格納した新たなファイルを、当該ファイルの未転送となる呼制御処理装置に転送する第二の手順と、上記第二の手順での処理の後、上記第二のシステムを稼動状態にすると共に上記複数の呼制御処理装置を用いて交換サービスを行いつつ、上記第一のシステムを第二のシステムでの処理を直ちに引き継げる状態にする第三の手順とを有するように構成される。
【００１３】
このような交換機におけるファイル更新方法に従えば、交換サービスを行いつつ、新たなファイルが所定の記憶装置から当該第二のシステムの各装置及び少なくとも１つの呼制御処理装置に転送される。この間の交換サービスは、第一のシステムを稼動状態にすると共に上記少なくとも１つの呼制御処理装置を除く残りの呼制御処理装置を用いて行われる。
【００１４】
次いで、交換サービスを中断した状態で、上記所定の記憶装置に格納したファイルが、当該ファイルの未転送となる呼制御処理装置に転送される。その結果、第二のシステムにおける各装置及び上記複数の呼制御処理装置は新たなファイルを取得した状態になる。
【００１５】
更に、このように新たなファイルを有する上記第二のシステムが稼動状態にされると共に新たなファイルを取得した上記複数の呼制御処理装置を用いて交換サービスが行われつつ、上記第一のシステムが上記第二のシステムでの処理を直ちに引き継げる状態にされる。
【００１６】
このような交換機におけるファイル更新方法によれば、交換サービスを行いつつ、所定の記憶装置から新たなファイルが当該第二のシステムの各装置及び少なくとも１つの呼制御処理装置に転送されるので、交換サービスを中断して行われる第二の手順では、残りの呼制御処理装置に新たなファイルを転送だけで済む。
【００１７】
また、交換サービスを中断して第二の手順を行っている際、少なくとも１つの呼制御処理装置及び第二のシステムの各装置は、既に新たなファイルの取得を終了しているので、稼動可能な状態となる。従って、交換サービスが中断されても、この稼動可能な呼制御処理装置及び第二のシステムの必要となる装置を用いて、交換サービスが中断する前の回線状態を管理することが可能となる。
【００１８】
上記第一のシステム及び第二のシステムは、それぞれ、交換サービスに必要な情報の記憶及び処理を行う装置を含むものであって、その構成は、特に限定されない。
【００１９】
また、上記第一の手順において、新たなファイルの転送されるべき呼制御処理装置は、複数の呼制御処理装置全てではなく、交換サービスに用いられる台数を除いた少なくとも１つであればよい。
【００２０】
ファイル更新が行われる交換機の構成が簡略化できるという観点から、本発明の一形態によれば、上記ファイル更新方法において、新たなファイルが予め格納される上記所定の記憶装置は、第二のシステムの記憶装置であって、この第二のシステムの記憶装置から新たなファイルを第二のシステムの各装置及び呼制御処理装置に転送するように構成することができる。
【００２１】
ファイルの更新が終了した後に、できるだけ早く呼制御に係る課金情報を外部のシステムに転送できるという観点から、本発明の一形態によれば、上記交換機の更新方法において、上記第三の手順を行っている際に、第二の手順以前の交換サービス中に第一システムの記憶装置に格納した呼接続に係る明細データを一括して外部のシステムに転送する手順を有するように構成される。上記明細データは、呼接続に対して発生するデータであって、課金情報を含む。
【００２２】
第一の手順が行われている間に第一のシステムを稼動状態にしてなされる交換サービスにおける回線状態を第二のシステムに引き継げるようにするという観点から、本発明の一形態によれば、上記各ファイル更新方法において、交換サービスを中断した状態で、第一のシステムにおいて回線状態を記憶するための第一の共通記憶装置に格納された上記第一の手順での処理が行われている間の交換サービスにおける回線状態を表す情報の少なくとも一部を当該第一の共通記憶装置から第二システムにおいて回線状態を記憶するための第二の共通記憶装置に引き継ぐ手順を有するように構成することができる。
【００２３】
交換サービスの中断が解除された際に、発生した呼を即座に接続できるように回線状態を管理できるという観点から、本発明の一形態によれば、上記ファイル更新方法において、上記回線状態を表す情報の少なくとも一部となる当該引き継ぐべき情報は、空き状態を表す情報を含むように構成することができる。
【００２４】
このような交換機におけるファイル更新方法では、交換サービスを中断した状態で、回線の空き状態を表す情報が第二のシステムにおける第二の共通記憶装置に引き継がれるので、交換サービスの中断が解除された際に開始される第二のシステムでの処理において、新たな呼の接続に使用可能な空き状態の回線を管理することができる。
【００２５】
上記ファイル更新方法において、回線状態を表す残りの情報を速やかに引き継ぐことができるという観点から、本発明の一形態によれば、上記第三の手順を行っている際に、上記第一のシステムにおける第一の共通記憶装置に格納された上記第一の手順での処理が行われている間の交換サービスにおける回線状態を表す情報の他の一部を当該第一の共通記憶装置から第二のシステムにおける第二の共通記憶装置に引き継ぐ手順を有するように構成される。
【００２６】
上述した交換サービス中断中に通話中の回線を維持した場合に、その状態を速やかに引き継ぐことができるという観点から、本発明の一形態によれば、上記ファイル更新方法において、上記回線状態を表す情報の他の一部となる引き継ぐべき情報は、通話中の状態を表す情報を含むように構成することができる。
【００２７】
更に、上述した交換サービス中断中に呼出し中の回線を維持した場合に、その回線を新たな呼に使用できるようにできるという観点から、本発明の一形態によれば、上記ファイル更新方法において、上記第一のシステムにおける第一の共通記憶装置から第二のシステムにおける第二の共通記憶装置に上記回線状態を表す情報の当該他の一部を引き継ぐ際に、呼び出し中の回線を切断して、当該回線の状態を空き状態として引き継ぐように構成することができる。
【発明の実施の形態】
【００２８】
以下、本発明の実施の形態を図面に基づいて説明する。
【００２９】
本発明の実施の一形態に係るファイル更新方法に従ってファイル更新のなされる交換機は、例えば、図１に示すように構成される。
【００３０】
図１において、この交換機１００は、交換サービスに必要な情報の記憶及び処理を行うシステムを有し、このシステムは０系と１系に二重化されている。０系は、第一の不揮発性記憶装置１１０（ＦＭ００）、第一の共通記憶装置１３０（ＣＭ０）及び第一の信号処理装置１４０（ＳＧＰ０）を備えており、１系は、第二の不揮発性記憶装置１１１（ＦＭ１０）、第二の共通記憶装置１３１（ＣＭ１）及び第二の信号処理装置１４１（ＳＧＰ１）を備えている。
【００３１】
第一及び第二の不揮発性記憶装置１１０、１１１のそれぞれは、課金情報等の呼接続に関する明細データを格納すると共に、交換処理にて必要な情報を格納する。第一及び第二の共通記憶装置１３０、１３１のそれぞれは、当該交換機１００における回線の状態を記憶する。第一及び第二の信号処理装置１４０、１４１のそれぞれは、交換サービスに必要な信号の処理を行う。
【００３２】
この交換機１００は、更に、回線の接続制御を行う複数の呼制御処理装置を有しており、その複数の呼制御処理装置のうち１つが主呼制御処理装置１２０ａ（ＭＣＰ）として他の呼制御処理装置１２０から区別される。主呼制御処理装置１２０ａは、回線の接続制御を行うと共に他の呼制御処理装置１２０の統括制御等を行う。
【００３３】
交換機１００は、また、情報転送処理装置１５０（ＴＣＥ）を備えている。この情報転送装置１５０は、課金情報などの明細データを外部の料金システム３００に転送する。
【００３４】
上記のように構成される交換機１００は、所定のネットワーク２００に接続され、当該交換機１００が設けられる通信システム（移動通信システム、電話通信システムなど）にて交換サービスを行う。
【００３５】
加入者に対するサービス内容の変更や、メンテナンス情報の変更などにより、０系、１系の各装置のファイルを更新する場合、例えば、図２に示すような手順でその処理が実行される。
【００３６】
図２において、ファイル更新準備期間（Ｓ０）では、通常の交換サービスを行いつつ、ファイル更新の準備のために内部状態の調整等が行われる。このファイル更新準備期間（Ｓ０）が終了すると、第一の片系運転期間（Ｓ１０）が開始される。この第一の片系運転期間（Ｓ１０）では、０系である第一の不揮発性記憶装置１１０、第一の共通記憶装置１３０及び第一の信号処理装置１４０を稼動状態にすると共に複数の呼制御処理装置（主呼制御処理装置１２０a及び呼制御処理装置１２０）を用いて交換サービスを行いつつ、新たなファイルの先送りを行う。
【００３７】
この新たなファイルの先送りの処理では、まず、１系における第二の不揮発性記憶装置１１１に新たなファイルをロードする。そして、上記呼制御処理装置１２０のうちの１台を予備の主呼制御処理装置（予備ＭＣＰ）として割付け、この予備の主呼制御処理装置、１系における第二の共通記憶装置１３１（ＣＭ１）及び第二の信号処理装置１４１（ＳＧＰ１）に、上記第二の不揮発性記憶装置１１１（ＦＭ１０）から新たなファイルが転送される。
【００３８】
この第一の片系運転期間（Ｓ１０）では、回線の状態（通話中、呼出し中、空き等）が０系における第一の共通記憶装置１３０（ＣＭ０）に記録される。
【００３９】
上記のようにして第一の片系運転期間（Ｓ１０）において、新たなファイルの先送りが終了すると、ファイル更新期間（Ｓ１１）が開始される。このファイル更新期間（Ｓ１１）では、上記０系における第一の不揮発性記憶装置１１０（ＦＭ０）が待機状態にされると共に、第一の共通記憶装置１３０（ＣＭ０）及び第一の信号処理装置１４０（ＳＧＰ０）が待機状態にされ、交換サービスが中断される。この場合、上述した予備の主呼制御処理装置は、真の主呼制御処理装置１２０ａ（ＭＣＰ）として割付けられ、前述した主呼制御処理装置は、他の呼制御処理装置と同様となる通常の呼制御処理層装置に割付けられる。そして、上述したように新たに主呼制御処理装置１２０ａ（ＭＣＰ）に割当てられた呼制御処理装置を除く残りの呼制御処理装置（ＣＮＰ）に対して、上記第二の不揮発性記憶装置１１１（ＦＭ１０）から新たなファイルが転送される。
【００４０】
このファイル更新期間（Ｓ１１）では、１系における第一の共通記憶装置１３１（ＣＭ１）、第一の信号処理装置１４１（ＳＰＧ１）及び主呼制御処理装置１２０ａ（ＭＣＰ）が稼動可能な状態にあり、上記第一の片系運転期間（Ｓ１０）からファイル更新期間（Ｓ１１）に切替わる際の回線状態を保持しても、その回線状態を管理することが可能となる。ただし、この期間（Ｓ１１）では、新たな呼の受け付けは行われない。
【００４１】
上記第一の片系運転期間（Ｓ１０）からファイル更新期間（Ｓ１１）に切替わる際の当該交換機１００における回線の状態（通話中、呼出し中、空き）は、０系における第一の共通記憶装置１３０（ＣＭ０）に記憶されている。そして、このファイル更新期間（Ｓ１１）中に、図３に示すように、その回線の状態のうち、空き回線の状態が０系における第一の共通記憶装置１３０（ＣＭ０）から１系における第二の共通記憶装置１３１（ＣＭ１）に引き継がれる。
【００４２】
このように、空き回線の状態を他の状態(通信中、呼出し中)に先行して１系における第二の共通記憶装置１３１（ＣＭ１）に引き継ぐことによって、この交換サービスを中断しているファイル更新期間（Ｓ１１）が終了した時点で、即座に新たな呼の接続を行えるようになる。
【００４３】
上記のようにしてファイル更新期間（Ｓ１１）での処理が終了すると、１系の各装置（第二の共通記憶装置１３１（ＣＭ１）、第二の信号処理装置１４１（ＳＰＧ１））及び各呼制御処理装置１２０ａ、１２０（ＭＰＣ、ＣＮＰ）のそれぞれが新たなファイルを取得した状態となる。この状態で、当該１系の各装置（第二のの不揮発性記憶装置１１１（ＦＭ１０）、第二の共通記憶装置１３１（ＣＭ１）、第二の信号処理装置１４１（ＳＧＰ１））が稼動状態にされ、主呼制御処理装置１２０ａ（ＭＣＰ）及び呼制御処理装置１２０（ＣＮＰ）を用いて交換サービスが開始される。この交換サービスは新たなファイルの内容に基づいたものとなる。  この１系の各装置を稼動状態にして交換サービスを行う第二の片系運転期間（Ｓ１２）では、図３に示すように、０系における第一の共通記憶装置１３０（ＣＭ０）に記憶された通話中の回線の状態が１系における第二の共通記憶装置１３１（ＣＭ１）に引き継がれる。また、呼出し中の回線は切断され、その回線の状態が空き状態として第二の共通記憶装置１３１（ＣＭ１）に記憶される。
【００４４】
また、この第二の片系運転期間（Ｓ１２）では、上述したように１系の各装置を稼動状態にして交換サービスが行われる間、０系の各装置（第一の共通記憶装置１３０（ＣＭ０）、第一の信号処理装置（ＳＧＰ０））を１系の各装置での処理を直ちに引き継げる状態（ホットスタンバイ状態）するための処理が行われる。この処理は、交換機を制御するＩＮＳ（In Service）コマンドを用い、２系体制でホットスタンバイ状態と稼動状態を確立する、所謂、標準系構成確立の手法に従って行われる。そして、更に、上記ファイル更新期間（Ｓ１１）以前に０系における不揮発性記憶装置１１０（ＦＭ００）に格納した課金情報などの呼接続に関する明細情報が情報転送装置１５０（ＴＣＥ）に転送される。この情報転送処理装置１５０（ＴＣＥ）は、所定のタイミングにて当該明細データを外部の料金システム３００に転送する。
【００４５】
上記のようにして、回線の状態が１系における第二の共通記憶装置１３１（ＣＭ１）に引き継がれ、０系の各装置がホットスタンバイ状態にされ、更に、明細データが情報転送処理装置１５０（ＴＣＥ）に転送されると、この第二の片系運転期間（Ｓ１２）が終了する。以後、０系及び１系の二重化されたシステム構成により、新たなファイルの内容に基づいた通常の交換サービスが行われる（Ｓ２）。
【００４６】
上述したような例によれば、第一の片系運転期間（Ｓ１０）において、１系の各装置及び予備の主呼制御処理装置に新たなファイルの転送が行われるため、ファイル更新期間（Ｓ１１）において交換サービスを中断させる時間を比較的短くすることができる。例えば、従来のファイル更新方法（図４参照）では、交換サービスの中断時間が約５分であったものが、上述したようなファイル更新方法に従った場合、交換サービスの中断時間は、約１分で済むようになった。
【００４７】
また、ファイル更新期間（Ｓ１１）中、通話中及び呼出し中の回線については、その状態が保持されるようになるので、交換サービスの中断している際の加入者に対するサービス低下を極力少なくすることができる。
【００４８】
上記のような結果、従来、深夜に行っていたファイル更新作業を比較的通信トラフィックの高い昼間であっても行うことが可能となり、その作業者の負担軽減も図れる。
【００４９】
更に、ファイル更新が終了した後（ファイル更新期間（Ｓ１１）の終了後）、明細データを０系における不揮発性記憶装置１１０（ＦＭ００）から情報転送処理装置１５０（ＴＣＥ）に一括して転送するようにしているので、外部の料金システム３００に明細データを情報転送処理装置１５０（ＴＣＥ）から効率的に転送することが可能となる。
【００５０】
上記実施例において、図２に示す第一の片系運転期間（Ｓ１０）での処理の一部が第一の手順に対応し、ファイル更新期間（Ｓ１１）での処理の一部が第二の手順に対応し、第二の片系運転期間（Ｓ１２）での処理の一部が第三の手順に対応する。
【発明の効果】
【００５１】
以上、説明したように、本発明の一形態によれば、交換サービスを行いつつ、第二のシステムの各装置及び少なくとも１つの呼制御処理装置に新たなファイルが転送され、交換サービス中断中には、残りの呼制御処理装置に新たなファイルを転送するだけで済むので、ファイル更新のために交換サービスを中断する時間をできるだけ短くすることができる。また、交換サービスの中断中においては、少なくとも１つの呼制御処理装置と第二のシステムが稼動可能な状態となるので、この稼動可能な呼制御処理装置及び第二のシステムにおける必要となる装置を用いて回線状態を管理することが可能となる。その結果、少なくとも、交換サービスが中断する前に通話中となった回線の状態を保持することができるようになる。従って、その交換サービスを中断する際の加入者に対するサービス低下をできるだけ少なくすることができるようになる。
【図面の簡単な説明】
【図１】  本発明の実施の一形態に係るファイル更新方法に従ってファイル更新のなされる交換機の構成例を示すブロック図である。
【図２】  本発明の実施の一形態に係るファイル更新方法を示す図である。
【図３】  回線状態の引継ぎの例を示す図である。
【図４】  従来のファイル更新方法の一例を示す図である。
【符号の説明】
１００  交換機
１１０  第一の不揮発性記憶装置（ＦＭ００）
１１１  第二の不揮発性記憶装置（ＦＭ１０）
１２０ａ  主呼制御処理装置（ＭＣＰ）
１２０  呼制御処理装置（ＣＮＰ）
１３０  第一の共通記憶装置（ＣＭ０）
１３１  第二の共通記憶装置（ＣＭ１）
１４０  第一の信号処理装置（ＳＧＰ０）
１４１  第二の信号処理装置（ＳＧＰ１）
１５０  情報転送処理装置
２００  ネットワーク
３００  料金システム
【図１】
0003825226.tif 000002
【図２】
0003825226.tif 000003
【図３】
0003825226.tif 000004
【図４】
0003825226.tif 000005